(57)【要約】
【課題】  清潔で、履き心地が良好なスリッパを提供する。
【解決手段】  スリッパ１を、スリッパ履部本体２と、このスリッパ履部本体２の底面に配設されるスリッパ底部３とに分離形成して、上記スリッパ履部本体２の底面に面ファスナの雌型のファスナ部材７を縫着し、スリッパ底部３の上面に面ファスナの雄型のファスナ部材１２を縫着する。これら雌雄のファスナ部材７，１２を介してスリッパ履部本体２とスリッパ底部３とを着脱自在に結合する。
【選択図】    図１
0003101362.tif 000002
【実用新案登録請求の範囲】
【請求項１】
スリッパ履部本体と、このスリッパ履部本体の底面に配設されるスリッパ底部とを分離して別体に構成し、これらスリッパ履部本体とスリッパ底部とを着脱自在に一体に結合すると共に、上記スリッパ履部本体を、上記スリッパ底部に対して交換可能にしたことを特徴とするスリッパ。
【請求項２】
上記スリッパ履部本体と上記スリッパ底部とを雌雄一対のファスナ部材からなる面ファスナを介して着脱自在に構成したことを特徴とする請求項１に記載のスリッパ。
【請求項３】
上記スリッパ履部本体と上記スリッパ底部とをホックを介して着脱自在に構成したことを特徴とする請求項１に記載のスリッパ。
【請求項４】
上記スリッパ履部本体と上記スリッパ底部とをスライドファスナを介して着脱自在に構成したことを特徴とする請求項１に記載のスリッパ。
【考案の詳細な説明】
【技術分野】
【０００１】
本考案は、スリッパに係り、特にホテル、旅館などの接客に用いて好適なスリッパに関する。
【背景技術】
【０００２】
従来より、ホテル、旅館等の宿泊施設では、客用のスリッパが必需品である。ところが、ホテル等で常備されている従来のスリッパは、手入れが十分行き届いていない場合が多く、他人との使い回しとなるため、客に不快感を与える場合が多々あった。  
これに対処するべく、近年ではいわゆる使い捨てのスリッパが普及してきている。この使い捨てスリッパは、手入れを必要とせず、また、他人との使い回しによる不快感を客に与えることがない。  
しかしながら、ホテル等の宿泊施設において、このような使い捨てスリッパを採用することは、営業上の必要経費を増大させる結果となる。従って、このような使い捨てスリッパは、出来るだけ安価に製造されることが望ましい。その反面、ホテル等の宿泊施設で使用されるスリッパは高級感があり且つ履き心地が良好なものが要求されるが、使い捨てスリッパを安価に製造するためには、表面部材等に安価な素材を用いたり、緩衝部材を薄く形成する等の対策が必要となるため、高級感を損なうことなく、充分に履き心地が良好なものを提供することが困難である。
【考案の開示】
【考案が解決しようとする課題】
【０００３】
このように、ホテル等の宿泊施設に常備されている従来のスリッパは手入れが充分に行き届いていない場合が多く、他人との使い回しとなるため、客に不快感を与える場合が多々あった。  
これに対処し、ホテル等の宿泊施設において、使い捨てスリッパを採用すると、営業上の必要経費を増大させる結果となる。その一方で、コスト低減のために使い捨てスリッパを安価に製造することは、高級感を損ない、スリッパの履き心地を低下させることとなる。  
本考案は上記事情に鑑みてなされたもので、清潔で、且つ履き心地が良好なスリッパを提供することを目的とする。
【課題を解決するための手段】
【０００４】
上記課題を解決するため、本考案によるスリッパは、スリッパ履部本体と、このスリッパ履部本体の底面に配設されるスリッパ底部とを分離して別体に構成し、これらスリッパ履部本体とスリッパ底部とを着脱自在に一体に結合すると共に、上記スリッパ履部本体を、上記スリッパ底部に対して交換可能にしたことを特徴とする。
【考案の効果】
【０００５】
本考案は、清潔で、履き心地の良好なスリッパを提供できる利点がある。  
【考案を実施するための最良の形態】
【０００６】
以下、図面を参照して本考案の実施例を説明する。
【実施例１】
【０００７】
図１乃至図３は本考案の実施例１に係り、図１はスリッパの分解斜視図、図２は図１のスリッパの使用時の状態を示す斜視図、図３は図２のIII−III断面図である。
【０００８】
図１及び図２に示すように、スリッパ１は、足を挿脱自在なスリッパ履部本体２と、このスリッパ履部本体２の底面に着脱自在なスリッパ底部３とを備えて構成されている。また、図３に示すように、上記スリッパ履部本体２は、略足裏形に裁断された、不織布からなる芯材４を備えて構成されている。上記芯材４の上面には、この芯材４に対し略同形状に裁断されたスポンジ状の部材からなる中間部材５と、織物からなる表面部材６とが順次重ねて配設されている。ここで、上記表面部材６は、例えば、通気性が良く且つ肌触りが良好なタオル地の織物で構成されている。
【０００９】
上記芯材４の底面には、この芯材４に対し略同形状に裁断された面ファスナの雌型のファスナ部材７（互いに着脱自在な雌雄一対の部材からなる、いわゆるマジックテープの雌型部材）が、このファスナ部材７のループ状部７ａが下方に露呈された状態で重ねて配設されている。また、上記芯材４、中間部材５、表面部材６及びファスナ部材７の外周には、これらの縁部を覆う帯状布８が設けれ、この帯状布８が糸９により縫いつけられることによって、上記各部材が一体に縫合されている。
【００１０】
また、図１及び図２に示すように、上記表面部材６の上面前側位置には、スリッパ履部本体２の甲部１０が設けられている。ここで、この甲部１０は、例えば、筒状に縫合した織物の両端を表面部材６の前側両縁部にそれぞれ重ねて配置し、帯状布８が縫着される前に、図示しない糸によって中間部材５，表面部材６と一体に芯材４に縫合して形成されるものである。上記甲部１０は、例えば、通気性が良く且つ肌触りが良好なタオル地の織物で構成されている。  
このようなスリッパ履部本体２を構成する上記各部材は、複数回（例えば５０回程度）の洗濯に充分に耐えうる材料であって、且つ、透水性が良好な材料を用いて構成されている。
【００１１】
図３に示すように、上記スリッパ底部３は、上記スリッパ履部本体２の芯材４と略同形状に裁断されて形成された、ウレタン・フォーム等の板状部材からなる緩衝部材１１を備えて構成されている。この緩衝部材１１の底面には、滑り止め用の溝部１１ａが刻設されている。また、上記緩衝部材１１の上面には、雌型の上記ファスナ部材７に着脱自在な雄型のファスナ部材１２（互いに着脱自在な雌雄一対の部材からなる、いわゆるマジックテープの雄型側部材）が、緩衝部材１１と略同形状に裁断され、このファスナ部材１２のかぎ状部１２ａが上方に露呈されるように重ねて配設されている。
【００１２】
上記緩衝部材１１、ファスナ部材１２の外周には、これらの縁部を覆う帯状布１３が設けられ、この帯状布１３が糸１４により縫いつけられることによって、上記各部材が一体に縫合されている。  
このように構成されたスリッパ履部本体２とスリッパ底部３は、図２に示すように、雌雄のファスナ部材７，１２を介して互いに結合されることによって、スリッパ１として機能する。そして、上記スリッパ１の例えば一泊の使用後には、スリッパ履部本体２とスリッパ底部３とを離間させ、スリッパ履部本体２のみを洗濯するものである。そして、洗濯されたスリッパ履部本体２は、再びスリッパ底部３と結合されることによって、スリッパ１として機能する。
【００１３】
このようなスリッパ１によれば、ホテル等の宿泊施設において、使用後のスリッパ履部本体２をスリッパ底部３から切り離して洗濯し、再びスリッパ底部３と結合して使用することにより、新たな客に対し、足を挿脱自在な部位が常に清潔なスリッパを提供することができる。また、上記スリッパ１は、繰り返しの使用が可能であるので、たとえスリッパ１に高級感を持たせるとともに履き心地を良好なものとすべくスリッパ履部本体２とスリッパ底部３を高価な部材を用いて構成したとしても、ホテル等での総合的に見た営業上の必要経費を低く抑えることができる。従って、常に清潔で、履き心地の良好なスリッパを安価に提供することができる。
【００１４】
また、上記スリッパ１は、スリッパ履部本体２が洗濯可能であるので、足が当接される部位に肌触りの良いタオル地の織物等を用いることができ、履き心地をより良好なものとすることができる。さらに、上記スリッパ１は、スリッパ履部本体２を透水性の良好な材料で構成し、かつ一般に透水性に乏しくしかも比較的厚手に形成される緩衝部材１１を備えたスリッパ底部３をスリッパ履部本体２とは別体に構成したので、スリッパ履部本体２を洗濯する際の脱水、乾燥を短時間でスムーズに行うことができる。
【００１５】
さらにまた、上記スリッパ履部本体２側には雌型のファスナ部材７が設けられているため、複数のスリッパ履部本体２を一度に洗濯した場合にも、スリッパ履部本体２同士が互いに接合されることがない。従って、スリッパ履部本体２の洗濯作業をスムーズに行うことができるとともに、ファスナ部材が表面部材６や甲部１０等に接合されることによる洗濯時のスリッパ履部本体２の損傷を防止することができる。また、このスリッパ１は、スリッパ履部本体２とスリッパ底部３とを着脱自在に結合するためのファスナ部材７，１２をそれぞれの結合面全面に設けたので、強固な結合力を得ることができる。
【実施例２】
【００１６】
図４及び図５は本考案の実施例２に係り、図４はスリッパ履部本体の底面図、図５はスリッパ底部の上面図、である。なお、この実施の形態において、上述の実施例と同様の部材については、同符号を付して説明を省略する。
【００１７】
図４に示すように、この実施例のスリッパ履部本体２の底面には、上述の実施例１において底面全面に設けられた雌型のファスナ部材７に代えて、複数の雌型のファスナ部材２０切片が要部に縫着等によって設けられている。また、図５に示すように、この実施例のスリッパ底部３の上面には、上述の実施例１において上面全面に設けられた雄型のファスナ部材１２に代えて、各ファスナ部材２０切片に対応する位置に、雄型のファスナ部材２１切片が縫着等によってそれぞれ設けられている。
【００１８】
ここで、上記ファスナ部材２０，２１の切片は、上記スリッパ履部本体２と上記スリッパ底部３との結合を充分に維持可能とする部位に適宜設けられるものである。
【００１９】
このような実施例では、ファスナ部材２０，２１の使用量を少量とすることができるので、上述の実施例１で得られる作用，効果に加え、製造コストを削減することができる。なお、このような実施例において、スリッパ１に、より高級感を持たせるために、スリッパ履部本体２の芯材４底面とファスナ部材２０との間に織物等からなる表面部材を介装し、また、スリッパ底部３の緩衝部材１１上面とファスナ部材２１との間に織物等からなる表面部材を介装してもよい。
【実施例３】
【００２０】
図６及び図７は本発明の実施例３に係り、図６はスリッパ履部本体の底面図、図７はスリッパ底部の上面図、である。なお、この実施の形態において、上述の実施例１と同様の部材については、同符号を付して説明を省略する。
【００２１】
この実施例３のスリッパ１は、上述の実施例１及び２で用いた面ファスナに代えて、雌雄のホック部材２５，２６からなるホックによってスリッパ履部本体２とスリッパ底部３とを着脱自在に構成するものである。すなわち、図６に示すように、この実施例のスリッパ履部本体２の底面には、中心部に穴部２５ａを有する雌型のホック部材２５が複数、縫着等によって要部に設けられている。また、図７に示すように、この実施例のスリッパ底部３の上面には、上記ホック部材２５にそれぞれ対応する位置に、中心部に上記穴部２５ａと嵌合自在な突部２６ａを有する雄型のホック部材２６が縫着等によって設けられている。
【００２２】
ここで、上記ホック部材２５，２６は、上記スリッパ履部本体２と上記スリッパ底部３との結合を充分に維持可能とする部位に適宜設けられるものである。また、このようなホック部材２５，２６の配設位置は、ホック部材２５，２６の凹凸による違和感を、スリッパ１を装着した利用者に感じさせない位置とすることが望ましい。
【００２３】
このような実施例では、上述の実施例１及び２で得られる作用，効果に加え、スリッパ履部本体２とスリッパ底部３とを結合する際に、これらの位置合わせを雌雄のホック部材２５，２６によって適切且つ容易に行うことができる。なお、この実施例では、スリッパ履部本体２に雄型のホック部材２６を設け、スリッパ底部３に雌型のホック部材２５を設けても良い。また、このような実施例において、スリッパ１に、より高級感を持たせるために、スリッパ履部本体２の芯材４底面とホック部材２５との間に織物からなる表面部材を介装し、また、スリッパ底部３の緩衝部材１１上面とホック部材２６との間に織物からなる表面部材を介装してもよい。
【実施例４】
【００２４】
図８は本発明の実施例４に係り、図８はスリッパを上方から見た斜視図、である。なお、この実施例において、上述の実施例１と同様の部材については、同符号を付して説明を省略する。
【００２５】
この実施例のスリッパ１は、上述の実施例１及び２で用いた面ファスナに代えて、スライドファスナ３０によってスリッパ履部本体２とスリッパ底部３とを着脱自在に構成するものである。ここで、このスライドファスナ３０は、スライダ３１によって噛合／開放される一対の務歯３２，３３を備えて構成された周知のスライドファスナであり、上記務歯３２，３３は、それぞれテープ３４，３５に取り付けられている。また、上記務歯３２，３３の基端部に設けられた下止め（図示せず）は、互いに着脱自在な開金具式のもので構成されている。
【００２６】
上記スリッパ履部本体２の底面には、一方のテープ３４が糸９によって縫着され、これにより、務歯３２がスリッパ履部本体２の外周に沿って配設されている。
【００２７】
一方、上記スリッパ底部３の上面には、他方のテープ３５が糸１４によって縫着され、これにより、務歯３３がスリッパ底部２の外周に沿って配設されている。
【００２８】
このような実施例では、上述の実施例１、２及び３で得られる作用、効果に加え、スリッパ履部本体２とスリッパ底部３との結合の際に、務歯３２，３３がスリッパ１の外周に沿って配設されるため、利用者がスリッパ１を装着した際に、スライドファスナ３０による違和感を感じることがない。
【００２９】
なお、上述の各実施例において、スリッパ履部本体２を構成する各部材は上述のものに限らず、透水性、耐久性等に優れ、且つ、肌触り等が良好なものであれば良い。また、上記スリッパ底部３を構成する緩衝部材１１も上述のものに限らず、緩衝性、耐久性等に優れたものであればよい。さらに、スリッパ１により高級感を持たせるために、例えばスリッパ底部３の構成部材である帯状布１３等に革製のものを採用してもよい。さらにまた、スリッパ１の形状は、上述のものに限られるものではない。
【００３０】
また、上記スリッパ１において、スリッパ履部本体２のみを、スリッパ底部３に対して交換可能な、例えば一晩の使用に耐えうる程度の、いわゆる使い捨てのものに構成することも可能である。このような場合にも、スリッパ底部３を繰り返し使用することができるため、全ての部材を使い捨ての材料で構成したスリッパに比べて安価なものとすることができる。また、このようなスリッパ１においても、スリッパ底部３に充分な緩衝機能を持たせることにより良好な履き心地を維持することができる。ここで、この使い捨てのスリッパ履部本体２は、例えば一晩の使用に耐えうる程度の強度があればよいので、芯材４等を省略してより安価に構成してもよい。
【産業上の利用可能性】
【００３１】
スリッパ履部本体とスリッパ底部とを分離可能に一体に接合した構成であるので、スリッパ履部本体をスリッパ底部から分離して洗浄、消毒することが可能であって、また何回か使用後はスリッパ履部本体は廃棄してスリッパ底部のみ長期間使用するようにし、清潔であると共に経済的であって、ホテル、旅館などの接客用のスリッパに適している。
【図面の簡単な説明】
【００３２】
【図１】図１乃至図３は本考案の実施例１に係り、図１はスリッパの分解斜視図
【図２】図１のスリッパの使用時の状態を示す斜視図
【図３】図２のIII−III断面図
【図４】図４，図５は本考案の実施例２に係り、図４はスリッパ履部本体の底面図
【図５】スリッパ底部の上面図
【図６】図６，図７は本考案の実施例３に係り、図６はスリッパ履部本体の底面図
【図７】スリッパ底部の上面図
【図８】図８は本考案の実施例４に係り、スリッパを上方から見た斜視図
【符号の説明】
【００３３】
１    …    スリッパ
２    …    スリッパ履部本体
３    …    スリッパ底部
７    …    ファスナ部材（雌型）
１２  …    ファスナ部材（雄型）
２０  …    ファスナ部材（雌型）
２１  …    ファスナ部材（雄型）
２５  …    ホック部材（雌型）
２６  …    ホック部材（雄型）
３０  …    スライドファスナ
代理人    弁理士      伊    藤      進
【図１】
0003101362.tif 000003
【図２】
0003101362.tif 000004
【図３】
0003101362.tif 000005
【図４】
0003101362.tif 000006
【図５】
0003101362.tif 000007
【図６】
0003101362.tif 000008
【図７】
0003101362.tif 000009
【図８】
0003101362.tif 000010